(57)【要約】【課題】簡素な構造で端子台の接続作業および点検作業が容易であり、端子台への付着物による端子台の不具合を防止できる浴室乾燥機を得ること。【解決手段】浴室乾燥機１００は、浴室の天井に設置され直方体形状を有する本体部１と、本体部１の側面に設けられて外部からダクトが接続されるダクト接続口２１と、本体部１の上部に配置された制御基板１０と、制御基板１０を覆う制御基板カバー１１と、を備える。また、浴室乾燥機１００は、本体部１の上面の面内における制御基板カバー１１を挟んでダクト接続口２１が設けられた側と反対側の領域であって制御基板カバー１１に覆われていない非被覆領域に、ダクト接続口２１が設けられた本体部１の側面の幅方向における中央部側の領域に設置された端子台４と、端子台４を覆う端子台カバー５と、を備える。【選択図】図３
2018119760.tif 000002
【特許請求の範囲】
【請求項１】
浴室の天井に設置され直方体形状を有する本体部と、
前記本体部の側面に設けられて外部からダクトが接続されるダクト接続口と、
前記本体部の上部に配置された制御基板と、
前記制御基板を覆う制御基板カバーと、
前記本体部の上面の面内における前記制御基板カバーを挟んで前記ダクト接続口が設けられた側と反対側の領域であって前記制御基板カバーに覆われていない非被覆領域に、前記ダクト接続口が設けられた前記本体部の側面の幅方向における中央部側の領域に設置された端子台と、
前記端子台を覆う端子台カバーと、
を備えること、
を特徴とする浴室乾燥機。
【請求項２】
ガイド側壁と突起部とを有し、前記本体部に設けられて上面に前記制御基板を保持する制御基板台座を備え、
前記端子台カバーは、ガイド切り欠きを備え、
前記ガイド側壁が前記端子台カバー内に挿入されることによって前記ダクト接続口が設けられた前記本体部の側面の幅方向における前記端子台カバーの位置が固定されており、
前記突起部が前記ガイド切り欠きに嵌め込まれることで、前記端子台カバーの上下方向における前記端子台カバーの位置が固定されていること、
を特徴とする請求項１に記載の浴室乾燥機。
【請求項３】
前記端子台と前記制御基板とを接続する端子台配線を有し、
前記制御基板台座は、前記端子台配線を前記端子台カバー内に案内する配線ガイドを備えること、
を特徴とする請求項２に記載の浴室乾燥機。
【発明の詳細な説明】
【技術分野】
【０００１】
本発明は、建物の浴室の天井に設置される浴室乾燥機に関する。
【背景技術】
【０００２】
従来、住宅等の建物には、空調装置または換気扇といった設備機器が配置されている。例えば、住宅の浴室の天井には、暖房または換気を行う浴室乾燥機が取り付けられている。
【０００３】
浴室乾燥機は、送風機、送風機で送風される空気を加熱するヒータ、浴室乾燥機の運転モードを切り替えるダンパー、ダンパーを駆動させるモータ、および排気ダクトが接続される排気ダクト接続口が実装された本体部が、天井パネルに設けられた開口部から天井裏に入り込む状態で設置される。また、浴室乾燥機は、浴室内の空気を吸い込む吸い込み口および浴室内に空気を吹き出す吹き出し口を有するフロントパネルが、浴室の天井パネルに露出する状態で取り付けられている。また、一般的に浴室乾燥機の本体部の上面には、外部の電源に接続された電源線を接続するための端子台が、あらかじめ決められた位置に設置されている。
【０００４】
上述した浴室乾燥機の設置作業および点検は、天井パネルにおいて浴室乾燥機の横に設けられた点検口から行われることが多い。ここで、排気ダクトは、浴室が設置される建物の構造によって配管経路が決められる。また、浴室乾燥機の設置方向は、排気ダクトに接続される排気ダクト接続口の位置によって決まる。そして、天井に取り付けられた際の本体部上の端子台の設置方向は、浴室乾燥機の設置方向によって決まる。このため、浴室が設置される建物の構造、排気口の位置および本体部における端子台の位置によっては、端子台が点検口とは離れた方向に配置され、端子台の接続作業および点検作業が行い難いことがあった。
【０００５】
そこで、特許文献１には、端子台を移動させる操作部に端子台を取り付け、端子台を回転させることで端子台の位置および向きを変更できる設備機器が開示されている。
【先行技術文献】
【特許文献】
【０００６】
【特許文献１】特開２０１６−１５６５０８号公報
【発明の概要】
【発明が解決しようとする課題】
【０００７】
しかしながら、上記特許文献１の設備機器によれば、端子台を回転させるための構造が必要となり、設備の構造が複雑になる、という問題があった。また、端子台を回転させるため、端子台の周りには遮蔽部を備えることができず、端子台へ塵埃および虫等が付着して端子台の不具合を発生させるという懸念がある。
【０００８】
本発明は、上記に鑑みてなされたものであって、簡素な構造で端子台の接続作業および点検作業が容易であり、端子台に付着した付着物に起因した端子台の不具合を防止できる浴室乾燥機を得ることを目的とする。
【課題を解決するための手段】
【０００９】
上述した課題を解決し、目的を達成するために、本発明にかかる浴室乾燥機は、浴室の天井に設置され直方体形状を有する本体部と、本体部の側面に設けられて外部からダクトが接続されるダクト接続口と、本体部の上部に配置された制御基板と、制御基板を覆う制御基板カバーと、を備える。また、浴室乾燥機は、本体部の上面の面内における制御基板カバーを挟んでダクト接続口が設けられた側と反対側の領域であって制御基板カバーに覆われていない非被覆領域に、ダクト接続口が設けられた本体部の側面の幅方向における中央部側の領域に設置された端子台と、端子台を覆う端子台カバーと、を備える。
【発明の効果】
【００１０】
本発明によれば、簡素な構造で端子台の接続作業および点検作業が容易であり、端子台に付着した付着物に起因した端子台の不具合を防止できる浴室乾燥機が得られる、という効果を奏する。
【図面の簡単な説明】
【００１１】
【図１】本発明の実施の形態１にかかる浴室乾燥機の構成を示す平面図
【図２】本発明の実施の形態１にかかる浴室乾燥機の構成を示す斜視図
【図３】本発明の実施の形態１にかかる浴室乾燥機の構成を示す分解斜視図
【図４】本発明の実施の形態１にかかる浴室乾燥機の設置例を示す平面図
【図５】本発明の実施の形態１にかかる浴室乾燥機の他の設置例を示す平面図
【図６】本発明の実施の形態１にかかる浴室乾燥機の端子台カバーの周辺を拡大して示す斜視図
【図７】本発明の実施の形態１にかかる浴室乾燥機の端子台の周辺を拡大して示す斜視図であり、端子台カバーを外して移動させた状態を示す図
【図８】本発明の実施の形態１にかかる浴室乾燥機の端子台の周辺を拡大して示す斜視図
【発明を実施するための形態】
【００１２】
以下に、本発明の実施の形態にかかる浴室乾燥機を図面に基づいて詳細に説明する。なお、この実施の形態によりこの発明が限定されるものではない。
【００１３】
実施の形態１．
図１は、本発明の実施の形態１にかかる浴室乾燥機１００の構成を示す平面図であり、浴室乾燥機１００を天井裏において上面から見た図である。図１では端子台カバー５を外した状態を示している。図２は、本発明の実施の形態１にかかる浴室乾燥機１００の構成を示す斜視図である。図３は、本発明の実施の形態１にかかる浴室乾燥機１００の構成を示す分解斜視図である。なお、図３においては一部の配線を省略している。
【００１４】
浴室乾燥機１００は、直方体形状を有する金属ケース２で覆われた本体部１と、本体部１の下面側に取り付けられたフロントパネル２０とを備え、建物の浴室の天井に設置される。浴室乾燥機１００は、浴室の天井パネルに設けられた開口部から本体部１が天井裏に入り込んだ状態で設置される。本体部１およびフロントパネル２０は、上面視において長方形、すなわち四角形状を有する。また、フロントパネル２０は、浴室内の空気を吸い込む吸い込み口および浴室内に空気を吹き出す吹き出し口を浴室の天井パネルとの間に構成するように、浴室内に露出する状態で本体部１に取り付けられる。
【００１５】
浴室乾燥機１００は、図１に示すように本体部１の金属ケース２の側面に、浴室内の空気を外部へ排出するためのダクト接続口２１が設けられている。
【００１６】
また、本体部１の金属ケース２の上面に設けられた開口部２ｆの一端側には、浴室乾燥機１００の運転を制御する制御基板１０が配置されている。すなわち、制御基板１０は、本体部１の上部側に配置されている。制御基板１０は、開口部２ｆに配置された不燃材である金属製の制御基板台座１２に固定されており、制御基板台座１２は開口部２ｆの一端側に固定されている。また、制御基板１０を含む開口部２ｆの領域は、制御基板カバー１１によって覆われている。
【００１７】
本体部１の金属ケース２において開口部２ｆが設けられていない領域の下部には、図示しない送風機が配置されている。また、本体部１の金属ケース２の上面上であって開口部２ｆが設けられていない領域には、送風機を駆動する送風機用モータ３と端子台４とが配置されている。送風機用モータ３には、制御基板１０に接続する送風機用モータ配線３２が接続されている。
【００１８】
また、本体部１は、送風機で送風される空気を加熱するヒータ、および本体部１内の風路を切り替えて運転モードを切り替えるダンパーを、開口部２ｆの下部の領域に備える。また、本体部１は、ダンパーを駆動させるダンパー用モータと、ダンパー用モータと制御基板１０とを接続するダンパー用モータ配線と、ヒータと制御基板１０とを接続するヒータ配線と、を開口部２ｆの下部の領域に備える。なお、図中、ヒータ、ダンパー、ダンパー用モータ、ダンパー用モータ配線、およびヒータ配線の図示は省略している。浴室乾燥機１００は、ダンパーを駆動させて風路を切り替えることで、空気を外へ排出する換気運転、浴室内に加熱した空気を流す暖房運転、および一部の空気を浴室に戻すとともに残りを外へ排出する乾燥運転を行う。
【００１９】
端子台４は、制御基板１０に接続する端子台配線３１と、外部の電源に接続された電源線４１とを電気的に接続する。端子台４で端子台配線３１と電源線４１とが接続されることで、外部の電源から制御基板１０に電源を供給可能とされている。端子台４は、本体部１の金属ケース２の上面に固定される金属製の端子台カバー５で覆われて外部環境から隔離されている。端子台カバー５は、図２に示すように、外周端部に設けられて取り付け孔を有する固定ねじ取り付け部６と固定ねじ７とによって本体部１の金属ケース２の上面にねじ固定されている。
【００２０】
図４は、本発明の実施の形態１にかかる浴室乾燥機１００の設置例を示す平面図であり、浴室乾燥機１００を天井裏において上面から見た図である。浴室乾燥機１００は、本体部１に取付けられたダクト接続口２１に、ダクト配管２２が接続される。ダクト配管２２は浴室が設置される建物の構造によって配管経路が決められている。ここでは、浴室乾燥機１００の上面視において、ダクト接続口２１が設けられた側の面を本体前面２ａ、端子台４を挟んで背面側と反対側であって本体前面２ａと対向する面を本体背面２ｂ、本体前面２ａ側から見て右側の面を本体右面２ｃ、前面２ｃ側から見て左側の面を本体左面２ｄとする。
【００２１】
浴室の天井５１には、浴室乾燥機１００の設置作業または点検作業で利用される点検口５２が開口している。そして、浴室乾燥機１００は、ダクト接続口２１に排気ダクトを接続させるために建物の構造に応じた向きを選択して、浴室の天井に設置される。図４に示す例では、浴室乾燥機１００の右側にダクト配管２２が配置されているため、浴室乾燥機１００の設置方向は、ダクト接続口２１が右側になる設置方向とされている。したがって、図４に示す例では、浴室乾燥機１００の本体部１の本体左面２ｄに隣接する領域に点検口５２が配置されている。
【００２２】
浴室乾燥機１００は、本体部１の金属ケース２の上面の面内であって制御基板カバー１１を挟んでダクト接続口２１が設けられた側と反対側の領域であって制御基板カバー１１に覆われていない非被覆領域２ｅに、端子台４を備える。端子台４は、非被覆領域２ｅにおいて、ダクト接続口２１が設けられた本体部１の金属ケース２の側面の幅方向、すなわち本体前面２ａの幅方向における中央部側の領域に設置されている。このため、浴室乾燥機１００の設置時における端子台４の接続作業または浴室乾燥機１００の点検時における端子台４の点検作業を行う際には、作業者は本体左面２ｄ側から端子台４を視認することが可能であり、点検口５２から端子台４の接続の作業をする際の作業が行いやすく、短い時間での作業が可能となる。
【００２３】
図５は、本発明の実施の形態１にかかる浴室乾燥機１００の他の設置例を示す平面図であり、浴室乾燥機１００を天井裏において上面から見た図である。図５に示す例では、図４に示す例に対して浴室乾燥機１００と点検口５２の位置が反対とされている。すなわち、図５に示す例では、浴室乾燥機１００の右側にダクト配管２２が配置されているため、浴室乾燥機１００の設置方向は、ダクト接続口２１が左側になる設置方向とされている。したがって、図５に示す例では、浴室乾燥機１００の本体部１の本体右面２ｃに隣接する領域に点検口５２が配置されている。浴室乾燥機１００は、本体部１の金属ケース２の上面部において本体部１の上面部の短手方向の中央部側、すなわち本体部１の上面部において本体背面２ｂの延在方向における中央部側に端子台４を備える。このため、浴室乾燥機１００の設置時における端子台４の接続作業または浴室乾燥機１００の点検時における端子台４の点検作業を行う際には、作業者は、本体右面２ｃ側から端子台４を視認することが可能であり、点検口５２から端子台４の接続の作業をする際の作業が行いやすく、短い時間での作業が可能となる。
【００２４】
浴室の天井５１への浴室乾燥機１００の設置形態は、図４および図５に示す例のうちのどちらかの形態となるが、図４に示す形態では、浴室乾燥機１００の本体左面２ｄ側および本体背面２ｂ側から端子台の接続作業を行うことができる。また、図５に示す形態では、浴室乾燥機１００の本体右面２ｃ側および本体背面２ｂ側から端子台４の接続作業を行うことができる。したがって、浴室乾燥機１００では、浴室乾燥機１００の設置形態に応じて、浴室乾燥機１００の外周うちの３方向を端子台４の接続作業に使用可能である。したがって、浴室乾燥機１００では、端子台４が設置される本体部１の金属ケース２の上面において端子台４を移動させる機構または複数の端子台４を備えることなく、簡素な構造で、端子台４の接続作業および端子台４の点検作業を容易に行うことが可能とされ、またコストの低減が可能である。
【００２５】
図６は、本発明の実施の形態１にかかる浴室乾燥機１００の端子台カバー５の周辺を拡大して示す斜視図である。図７は、本発明の実施の形態１にかかる浴室乾燥機１００の端子台４の周辺を拡大して示す斜視図であり、端子台カバー５を外して移動させた状態を示す図である。図８は、本発明の実施の形態１にかかる浴室乾燥機１００の端子台４の周辺を拡大して示す斜視図である。
【００２６】
たとえば作業者が浴室乾燥機１００の設置時に電源線４１を端子台４に接続する作業を行う場合には、図６に示すように本体部１の金属ケース２の上面に固定された状態の端子台カバー５を取り外す。端子台カバー５は、外周端部に設けられて取り付け孔５ａを有する固定ねじ取り付け部６と固定ねじ７とによって本体部１の金属ケース２の上面にねじ固定されている。作業者は、端子台カバー５の固定ねじ７を外し、図７に示すように端子台カバー５を本体部１の金属ケース２の上面から外して移動させる。
【００２７】
このとき、端子台４は、端子台配線３１によって制御基板１０と接続されている。また、図３、図７および図８に示すように制御基板台座１２における端子台４に対向する側面１２ｃには、端子台４と制御基板１０とを接続する端子台配線３１を覆って案内する配線ガイド１２ａが設けられている。端子台配線３１を配線ガイド１２ａ内に通すことによって、端子台配線３１の移動を規制することができ、端子台配線３１を適切な位置に配置することができる。すなわち、配線ガイド１２ａは、制御基板１０から引き回された端子台配線３１を端子台カバー５内に位置するように案内する。
【００２８】
すなわち、配線ガイド１２ａは、制御基板１０に接続されて制御基板カバー１１から引き出された端子台配線３１の位置を、左右方向、すなわち本体部１の本体前面２ａの幅方向において規制する。これにより、制御基板カバー１１から引き出された端子台配線３１は、本体部１の本体前面２ａの幅方向に広がることが防止され、端子台カバー５を本体部１に設置した際に端子台カバー５の下部と本体部１の金属ケース２の上面との間に端子台配線３１が挟み込まれることを防止できる。したがって、端子台カバー５による端子台配線３１の噛み込みを配線ガイド１２ａにより防止することができ、チューブといった端子台配線３１を保護するための保護部品を端子台配線３１に設置する必要がない。
【００２９】
その後、作業者が、端子台４の差し込み孔４ａに電源線４１を差し込み、端子台カバー５の固定ねじ取り付け部６と固定ねじ７とを用いて端子台カバー５を本体部１の金属ケース２の上面に取り付ける。端子台４の差し込み孔４ａに電源線４１を差し込むことで制御基板１０に電源が供給可能とされる。
【００３０】
端子台カバー５は、制御基板台座１２の側面１２ｃに設けられたガイド側壁１２ｂが内部に嵌め込まれることによって左右方向、すなわち本体部１の本体前面２ａの幅方向に動くことが防止されて、左右方向における位置が固定されている。また、端子台カバー５は、ガイド側壁１２ｂの左右２ヶ所の外側部に設けられた突起部１２ｄを端子台カバー５の左右２ヶ所の側面に設けられたガイド切り欠き５ｂに嵌めることで、上方向への端子台カバー５の動きが規制されて端子台カバー５の上下方向での位置が固定されて、本体部１の金属ケース２への確実な取り付けが可能とされている。
【００３１】
また、端子台カバー５は、長手方向における一端側の側面に電源線４１を通すための電源線逃がし切り欠き５ｃを備える。これにより、電源線４１を端子台４に接続し、端子台カバー５を本体部１の金属ケース２の上面に取り付けた際に、電源線４１が通らない部分での本体部１の金属ケース２の上面と端子台カバー５の下辺との間の隙間を少なくし、端子台４の外部環境から隔離している。これにより、端子台４は、端子台配線３１および電源線４１とともに金属製の端子台カバー５でカバーされる。そして、端子台４の差し込み孔４ａも端子台カバー５でカバーされる。これにより、塵埃および虫等が本体部１の金属ケース２の上面と端子台カバー５の下辺との間の隙間から侵入して端子台４の差し込み孔４ａに付着することに起因した端子台４の不具合の発生を防止することができる。
【００３２】
また、端子台４と制御基板１０とが離れて配置されているため、端子台カバー５は端子台４のみを覆うことができる。これにより、端子台４に電源線４１を接続する際に、充電部が多く配置されている制御基板１０を露出させることなく安全に施工ができる。
【００３３】
上述したように、本実施の形態１にかかる浴室乾燥機１００では、本体部１の金属ケース２の上面の面内における制御基板カバー１１を挟んでダクト接続口２１が設けられた側と反対側の領域であって、制御基板カバー１１に覆われていない非被覆領域２ｅに、制御基板１０から離して端子台４が配置される。そして、端子台４は、浴室乾燥機１００の本体部１の金属ケース２の上面部の短手側の中央側の領域、すなわち非被覆領域２ｅにおける幅方向での中央部側の領域に設置される。これにより、浴室乾燥機１００では、浴室乾燥機１００と点検口５２との位置関係に因らず、端子台４への電源線４１の接続作業を容易に行うことができ、作業時間も短縮できる。
【００３４】
非被覆領域２ｅにおける幅方向での中央部側の領域は、たとえば浴室乾燥機１００の本体前面２ａの幅にもよるが、浴室乾燥機１００本体前面２ａの幅における中央部側の１／２の領域が好ましい。これにより、浴室乾燥機１００と点検口５２との位置関係に因らず、端子台４への電源線４１の接続作業を容易に行うことができる。
【００３５】
したがって、浴室乾燥機１００では、端子台４が設置される本体部１の金属ケース２の上面において端子台４を移動させる機構または複数の端子台４を備えることなく、部品数を抑え、簡単な構成で且つ低コストで、浴室乾燥機１００の設置作業および浴室乾燥機１００の点検作業が容易な浴室乾燥機を実現できる。
【００３６】
また、浴室乾燥機１００では、端子台４、および端子台４における電源線４１の接続部を端子台カバー５で覆うことで、塵埃および虫等が端子台４の差し込み孔４ａに付着することに起因した端子台４の不具合の発生を防止することができる。
【００３７】
したがって、本発明の実施の形態１にかかる浴室乾燥機１００によれば、簡素な構造で端子台の接続作業および点検作業が容易であり、端子台への付着物による端子台の不具合を防止できる浴室乾燥機が得られる。
【００３８】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００３９】
１  本体部、２  金属ケース、２ａ  本体前面、２ｂ  本体背面、２ｃ  本体右面、２ｄ  本体左面、２ｅ  非被覆領域、２ｆ  開口部、３  送風機用モータ、４  端子台、４ａ  差し込み孔、５  端子台カバー、５ａ  取り付け孔、５ｂ  ガイド切り欠き、５ｃ  電源線逃がし切り欠き、６  固定ねじ取り付け部、１０  制御基板、１１  制御基板カバー、１２  制御基板台座、１２ａ  配線ガイド、１２ｂ  ガイド側壁、１２ｃ  側面、１２ｄ  突起部、２０  フロントパネル、２１  ダクト接続口、２２  ダクト配管、３１  端子台配線、３２  送風機用モータ配線、４１  電源線、５１  天井、５２  点検口、１００  浴室乾燥機。
【図１】
2018119760.tif 000003
【図２】
2018119760.tif 000004
【図３】
2018119760.tif 000005
【図４】
2018119760.tif 000006
【図５】
2018119760.tif 000007
【図６】
2018119760.tif 000008
【図７】
2018119760.tif 000009
【図８】
2018119760.tif 000010